(57)【要約】【課題】ユーザがショートメッセージサービスを利用する際に、より利便性を向上させた通信端末機を提供する。【解決手段】メモリ装置１４のＳＭＳ関連テーブル・メモリ部１４２は、ＳＭＳＣ装置ごとの記憶領域を有し、各記憶領域には、ＳＭＳＣ装置の電話番号、通信プロトコルのプログラムおよびパラメータなどが記憶されている。ショートメッセージを送信する際には、ユーザが送信したいＳＭＳＣ装置を入力装置１４によって選択すると、制御装置１９がＳＭＳ関連テーブル・メモリ部１４２の選択されたＳＭＳＣ装置の記憶領域を参照し、記憶されているＳＭＳＣ装置の電話番号および通信プロトコルなどに基づいて網制御装置１０からダイアル発信し、回線が確立した後、予め作成されているショートメッセージデータをＳＭＳＣ装置に送信する。【選択図】　　　図２
2004096484.tif 000002
【特許請求の範囲】
【請求項１】
公衆回線網に接続され、該公衆回線網に接続されているセンタ装置と通信を行い、センタ装置を介して他の通信端末機とショートメッセージデータの送受信を行う通信端末機であって、
ショートメッセージデータを入力する入力手段と、
公衆回線網に接続してセンタ装置と通信を行う通信手段と、
前記通信手段が通信を行うための通信プロトコル情報をセンタ装置ごとに複数記憶する記憶手段と、
所定の条件に基づいて、通信プロトコル情報が記憶されたセンタ装置の中から通信を行うセンタ装置を選択する選択手段と、
選択手段が選択したセンタ装置の通信プロトコル情報に基づいて、入力されたショートメッセージデータの送信時には、センタ装置にショートメッセージデータを送信し、ショートメッセージデータの受信時には、センタ装置からショートメッセージデータを受信するように前記通信手段を制御する制御手段とを有する通信端末機。
【請求項２】
記憶手段は、複数のセンタ装置ごとに割り当てられた個別記憶領域と、複数のセンタ装置に共通して割り当てられた共用記憶領域とを備え、
前記個別記憶領域には、少なくとも
センタ装置の識別情報、
センタ装置との通信に用いられる通信プロトコル情報、
センタ装置から受信したショートメッセージデータが記憶され、
前記制御手段は、選択手段によって選択されたセンタ装置に割り当てられた個別記憶領域を参照し、記憶されている識別情報および通信プロトコル情報に基づいて、前記通信手段を制御することを特徴とする請求項１記載の通信端末機。
【請求項３】
通信を行うセンタ装置をユーザが指示する指示手段を有し、
選択手段は、前記指示手段からの指示に基づいてセンタ装置を選択することを特徴とする請求項１記載の通信端末機。
【請求項４】
通信手段は、受信した着呼信号に含まれる識別情報を検出し、選択手段は、前記通信手段によって検出された識別情報と、各個別記憶領域に記憶されているセンタ装置の識別情報とを比較して一致した識別情報に対応するセンタ装置を選択し、
制御手段は、選択されたセンタ装置に割り当てられた個別記憶領域を参照し、記憶されている通信プロトコル情報に基づいて通信手段にショートメッセージデータを受信させることを特徴とする請求項２記載の通信端末機。
【請求項５】
各個別記憶領域には、優先受信の対象となるセンタ装置であるか否かを示す優先受信フラグが記憶され、
制御手段は、ショートメッセージデータ受信時に、ショートメッセージデータの送信元のセンタ装置に割り当てられた個別記憶領域の空き容量が所定量より小さいか否かを判断し、空き容量が所定量以上の場合は、該個別記憶領域にショートメッセージデータを記憶し、空き容量が所定量より小さい場合は、前記優先受信フラグを参照し、ショートメッセージデータの送信元のセンタ装置が優先受信の対象となるセンタ装置であれば、受信したショートメッセージデータを前記共用記憶領域に記憶することを特徴とする請求項２記載の通信端末装置。
【請求項６】
記憶手段に記憶されている受信したショートメッセージデータの中から特定のショートメッセージデータをユーザが指定する指定手段を有し、選択手段は、前記指定手段によって指定されたショートメッセージデータの送信元のセンタ装置を選択し、
制御手段は、選択されたセンタ装置に割り当てられた個別記憶領域を参照し、記憶されている通信プロトコル情報に基づいて、前記入力手段によって入力されたショートメッセージデータを送信するように通信手段を制御することを特徴とする請求項２記載の通信端末機。
【請求項７】
制御手段は、ショートメッセージデータの送受信以外の他の処理を行っているときに、通信手段によってセンタ装置からの着呼信号が受信されると、
前記他の処理を中断するとともに、ショートメッセージデータを受信するように前記通信手段を制御し、ショートメッセージデータの受信が完了した後、中断していた他の処理を再開することを特徴とする請求項１記載の通信端末機。
【請求項８】
受信したショートメッセージデータを表示する表示手段と、
受信したショートメッセージデータを印刷する印刷手段との少なくとも一方を有することを特徴とする請求項１記載の通信端末機。
【発明の詳細な説明】
【０００１】
【発明の属する技術分野】
本発明は、公衆回線網に接続し、該公衆回線網に接続しているセンタ装置を介して他の通信端末機とショートメッセージデータの送受信を行う通信端末機に関する。
【０００２】
【従来の技術】
近年、有線あるいは無線通信を利用し、公衆回線網にゲートウェイなどを経由して接続するショートメッセージサービスセンタ（以下「ＳＭＳＣ」と略称する。）装置が、ストアアンドフォワード、すなわちメッセージの蓄積および転送の形態によって、公衆回線網に接続されている通信端末機間のショートメッセージの送受信を行うショートメッセージサービスシステムが構築されており、多くの通信端末機のユーザがそのシステムを利用している。ショートメッセージとは、数十文字程度の予め定められた文字数以内の文字データである。
【０００３】
ショートメッセージの送受信は、２つのステップからなる。第１のステップでであるショートメッセージのストア（蓄積）ステップと、第２のステップであるショートメッセージのフォワード（転送）ステップである。
【０００４】
蓄積ステップでは、発信側通信端末機からショートメッセージがＳＭＳＣ装置へ送信され、ＳＭＳＣ装置は受信したショートメッセージを蓄積する。転送ステップでは、ＳＭＳＣ装置は受信したショートメッセージを受信側通信端末機に送信する。
【０００５】
蓄積ステップでは、発信側通信端末機は、ショートメッセージをＳＭＳＣ装置に送信すべくＳＭＳＣ装置への接続を行うため、ＳＭＳＣ装置の電話番号を、公衆回線網にダイアルする。公衆回線網の交換機は、発信側通信端末機の発信者ＩＤ（即ち電話番号）を、着呼信号（リンガ）に併せてＳＭＳＣ装置に送信する。なお、ＳＭＳＣ装置は、この発信者ＩＤを発信側通信端末機を識別するために用い、識別した後サービスの使用料を課金するためにも使用する。通信回線のリンクが発信側通信端末機とＳＭＳＣ装置の間とで確立されると、発信側通信端末機とＳＭＳＣ装置との間でショートメッセージ伝送フェーズに入り、発信側通信端末機からのショートメッセージの伝送が終了すると回線は開放される。ＳＭＳＣ装置は、発信側通信端末機から受信したショートメッセージを記憶手段に記憶する。
【０００６】
転送ステップでは、ＳＭＳＣ装置は、記憶しているショートメッセージをＳＭＳ対応の受信側通信端末機に送信すべく受信側通信端末機への接続を行うために、受信側通信端末機の電話番号を公衆回線網に対してダイアルする。なお、受信側通信端末機のＩＤ（電話番号）は、ショートメッセージに予め含まれている。公衆回線網の交換機は、ＳＭＳＣ装置の発信者ＩＤを着呼信号に併せて受信側通信端末機に送信する。受信側通信端末機は、このＳＭＳＣ装置の発信者ＩＤを用いて発信装置の識別を行う。識別結果がＳＭＳＣ装置からの着呼であった場合は、受信側通信端末機は、自動的にショートメッセージの受信モードに切り替わって、ＳＭＳＣ装置と通信回線を確立し、回線が確立されるとＳＭＳＣ装置からショートメッセージが伝送される。伝送が終了すると回線は開放される。
【０００７】
以上のようなステップによってショートメッセージの送受信サービス（ＳＭＳ）が行われており、多くの通信端末機のユーザがＳＭＳ業者と加入契約してその恩恵に預かっている。
【０００８】
【発明が解決しようとする課題】
従来、通信端末機のユーザは、通常ただ一つのショートメッセージサービス業者と加入契約し、ショートメッセージサービス対応の通信端末機は、契約した業者のＳＭＳＣ装置経由でのみショートメッセージの送受信を行うため、契約業者以外の業者のＳＭＳＣ装置を使用することはできない。したがって、契約業者以外の業者が提供するショートメッセージの送受信サービスを利用しているユーザとの間では、ショートメッセージの送受信が行えないという問題がある。また、使用料の課金条件やサービスの利用可能な時間帯は業者ごとに異なっているが、契約業者以外の業者のＳＭＳＣ装置を使用することはできないため、サービスの使用条件に自由度がなく、利便性および経済性などの問題がある。
【０００９】
本発明の目的は、ユーザがショートメッセージサービスを利用する際に、より利便性を向上させた通信端末機を提供することである。
【００１０】
【課題を解決するための手段】
本発明は、公衆回線網に接続され、該公衆回線網に接続されているセンタ装置と通信を行い、センタ装置を介して他の通信端末機とショートメッセージデータの送受信を行う通信端末機であって、
ショートメッセージデータを入力する入力手段と、
公衆回線網に接続してセンタ装置と通信を行う通信手段と、
前記通信手段が通信を行うための通信プロトコル情報をセンタ装置ごとに複数記憶する記憶手段と、
所定の条件に基づいて、通信プロトコル情報が記憶されたセンタ装置の中から通信を行うセンタ装置を選択する選択手段と、
選択手段が選択したセンタ装置の通信プロトコル情報に基づいて、入力されたショートメッセージデータの送信時には、センタ装置にショートメッセージデータを送信し、ショートメッセージデータの受信時には、センタ装置からショートメッセージデータを受信するように前記通信手段を制御する制御手段とを有する通信端末機である。
【００１１】
本発明に従えば、記憶手段は、通信手段が通信を行うための通信プロトコル情報をセンタ装置ごとに複数記憶しており、選択手段は、所定の条件に基づいて、通信プロトコル情報が記憶されたセンタ装置の中から通信を行うセンタ装置を選択する。選択手段によってセンタ装置が選択されると、通信手段は、選択されたセンタ装置の通信プロトコル情報に基づいて制御手段に制御され、公衆回線網に接続してセンタ装置と通信を行う。
【００１２】
これにより、入力手段によって入力されたショートメッセージデータを送信するときは、送信先のセンタ装置に適した通信プロトコルでショートメッセージを送信することができ、ショートメッセージデータを受信するときは、送信元のセンタ装置に適した通信プロトコルでショートメッセージを受信することができる。
【００１３】
したがって、複数のセンタ装置を介して他の通信端末機とショートメッセージデータの送受信を行うことができる。各センタ装置は、異なるショートメッセージサービス提供業者が設置しているので、複数のセンタ装置を使用することで、たとえば、ユーザはショートメッセージデータの送信先の通信端末機や利用する時間帯、課金条件などに応じたショートメッセージサービスを利用することができ、利便性を向上させることができる。
【００１４】
また本発明は、記憶手段は、複数のセンタ装置ごとに割り当てられた個別記憶領域と、複数のセンタ装置に共通して割り当てられた共用記憶領域とを備え、
前記個別記憶領域には、少なくとも
センタ装置の識別情報、
センタ装置との通信に用いられる通信プロトコル情報、
センタ装置から受信したショートメッセージデータが記憶され、
前記制御手段は、選択手段によって選択されたセンタ装置に割り当てられた個別記憶領域を参照し、記憶されている識別情報および通信プロトコル情報に基づいて、前記通信手段を制御することを特徴とする。
【００１５】
本発明に従えば、記憶手段は、複数のセンタ装置ごとに割り当てられた個別記憶領域と、複数のセンタ装置に共通して割り当てられた共用記憶領域とを有している。たとえばユーザが入力することで、この記憶領域には、少なくともセンタ装置の識別情報、センタ装置との通信に用いられる通信プロトコル情報およびセンタ装置から受信したショートメッセージデータが記憶される。制御手段は、選択手段によって選択されたセンタ装置に割り当てられた個別記憶領域を参照し、記憶されている識別情報および通信プロトコル情報に基づいて、通信手段を制御する。
【００１６】
これにより、通信時にセンタ装置の識別情報である電話番号や通信パラメータなどの通信プロトコル情報を入力する必要がなく、容易に複数のセンタ装置を介して他の通信端末機とショートメッセージデータの送受信を行うことができる。
【００１７】
また本発明は、通信を行うセンタ装置をユーザが指示する指示手段を有し、
選択手段は、前記指示手段からの指示に基づいてセンタ装置を選択することを特徴とする。
【００１８】
本発明に従えば、ユーザが指示手段によって通信を行うセンタ装置を指示すると、選択手段は、指示手段の指示に基づいて、複数のセンタ装置の中からセンタ装置を選択する。
【００１９】
これにより、ユーザは通信を行うセンタ装置を指示することができ、利用したいショートメッセージサービスを選択することができる。
【００２０】
また本発明は、通信手段は、受信した着呼信号に含まれる識別情報を検出し、選択手段は、前記通信手段によって検出された識別情報と、各個別記憶領域に記憶されているセンタ装置の識別情報とを比較して一致した識別情報に対応するセンタ装置を選択し、
制御手段は、選択されたセンタ装置に割り当てられた個別記憶領域を参照し、記憶されている通信プロトコル情報に基づいて通信手段にショートメッセージデータを受信させることを特徴とする。
【００２１】
本発明に従えば、通信手段が受信した着呼信号に含まれる識別情報を検出すると、選択手段は、検出された識別情報と各個別記憶領域に記憶されているセンタ装置の識別情報とを比較する。選択手段は、この比較によって一致した電話番号に対応するセンタ装置を選択する。制御手段は、選択されたセンタ装置に割り当てられた個別記憶領域を参照し、記憶されている通信プロトコル情報に基づいて通信手段にショートメッセージデータを受信させる。
【００２２】
これにより、複数のセンタ装置のうち、いずれのセンタ装置から送信されたショートメッセージデータでも容易に受信することができる。
【００２３】
また本発明は、各個別記憶領域には、優先受信の対象となるセンタ装置であるか否かを示す優先受信フラグが記憶され、
制御手段は、ショートメッセージデータ受信時に、ショートメッセージデータの送信元のセンタ装置に割り当てられた個別記憶領域の空き容量が所定量より小さいか否かを判断し、空き容量が所定量以上の場合は、該個別記憶領域にショートメッセージデータを記憶し、空き容量が所定量より小さい場合は、前記優先受信フラグを参照し、ショートメッセージデータの送信元のセンタ装置が優先受信の対象となるセンタ装置であれば、受信したショートメッセージデータを前記共用記憶領域に記憶することを特徴とする。
【００２４】
本発明に従えば、制御手段は、ショートメッセージデータ受信時に、ショートメッセージデータを送信したセンタ装置に割り当てられた個別記憶領域の空き容量が所定量より小さいか否かを判断する。空き容量が所定量以上の場合は、該個別記憶領域にショートメッセージデータを記憶する。空き容量が所定量より小さい場合は、個別記憶領域に記憶されている優先受信フラグを参照し、ショートメッセージデータの送信元のセンタ装置が優先受信の対象となるセンタ装置であれば、受信したショートメッセージデータを共用記憶領域に記憶する。
【００２５】
これにより、ショートメッセージデータ受信時に、個別記憶領域の空き容量が足りない場合、少なくとも優先的に受信するように設定したセンタ装置、たとえばユーザが仕事の連絡用に使用しているショートメッセージサービス業者のセンタ装置などから送信されるショートメッセージデータは記憶することができる。
【００２６】
また本発明は、記憶手段に記憶されている受信したショートメッセージデータの中から特定のショートメッセージデータをユーザが指定する指定手段を有し、選択手段は、前記指定手段によって指定されたショートメッセージデータの送信元のセンタ装置を選択し、
制御手段は、選択されたセンタ装置に割り当てられた個別記憶領域を参照し、記憶されている通信プロトコル情報に基づいて、前記入力手段によって入力されたショートメッセージデータを送信するように通信手段を制御することを特徴とする。
【００２７】
本発明に従えば、指定手段によって記憶手段に記憶されている受信したショートメッセージデータの中から特定のショートメッセージデータをユーザが指定すると、選択手段は、指定手段によって指定されたショートメッセージデータの送信元のセンタ装置を選択する。制御手段は、選択されたセンタ装置に割り当てられた個別記憶領域を参照し、記憶されている通信プロトコル情報に基づいて通信手段に、入力手段から入力したショートメッセージデータを送信させる。
【００２８】
これにより、すでに受信したショートメッセージデータに対する返信を行う場合に、ユーザは返信したいショートメッセージデータを指定すればよいので、ユーザはセンタ装置を指示する必要がなく、容易に返信を行うことができる。
【００２９】
また本発明は、制御手段は、ショートメッセージデータの送受信以外の他の処理を行っているときに、通信手段によってセンタ装置からの着呼信号が受信されると、
前記他の処理を中断するとともに、ショートメッセージデータを受信するように前記通信手段を制御し、ショートメッセージデータの受信が完了した後、中断していた他の処理を再開することを特徴とする。
【００３０】
本発明に従えば、制御手段はショートメッセージデータの送受信以外の他の処理を行っているときに、通信手段によってセンタ装置からの着呼信号が受信されると、他の処理を中断するとともに、ショートメッセージデータを受信するように通信手段を制御し、ショートメッセージデータの受信が完了した後、中断していた他の処理を再開する。
【００３１】
これにより、通信端末機が他の処理を行っているときでも、ショートメッセージデータの受信を行うことができ、センタ装置にコールバックする必要がない。
【００３２】
また本発明は、受信したショートメッセージデータを表示する表示手段と、
受信したショートメッセージデータを印刷する印刷手段との少なくとも一方を有することを特徴とする。
【００３３】
本発明に従えば、受信したショートメッセージデータは、少なくとも表示手段によって表示されるか、印刷手段によって文字コードが文字フォントに変換され印字される。
【００３４】
これにより、ユーザは受信したショートメッセージデータを、表示装置を見て確認することができる。また、ユーザは受信したショートメッセージデータを、印字して確認したり、保管しておくことができる。
【００３５】
【発明の実施の形態】
以下では、図面に示す実施形態に基づいて本発明を詳述する。なお、本発明はこれによって限定されるものではない。
【００３６】
図１は、ショートメッセージサービスの送受信システムの概略図である。ショートメッセージサービス対応通信端末機（以下「ＳＭＴＥ」と略称する。）１，２，３およびＳＭＳＣ装置１００，２００，３００がＰＳＴＮ（公衆交換電話網）４００に接続され、ショートメッセージサービスの送受信システムを構成している。本発明は、ＰＳＴＮ４００に接続される種々の通信端末機に適用可能であるが、ここでは通信端末機をファクシミリ装置とする。図１を用いて本発明の実施形態であるＳＭＴＥがどのように動作してショートメッセージの送受信を行うかを説明する。
【００３７】
ＰＳＴＮ４００は有線媒体による公衆回線網であり、ＳＭＳＣ装置１００、ＳＭＳＣ装置２００、およびＳＭＳＣ装置３００は、このＰＳＴＮ４００に接続し、ショートメッセージの送受信サービスを行うＳＭＳＣ装置群の一部であり、ＳＭＳＣ装置１００，２００，３００は、ＰＳＴＮでの発信者ＩＤ（電話番号）として、９８７　６５４　３２１、８７６　５４３　２１０、７６５　４３２　１０９をそれぞれ有している。また、ＳＭＳＣ装置１００，２００，３００は、それぞれ異なる業者が提供しているショートメッセージサービスを行うＳＭＳＣ装置である。
【００３８】
ＳＭＴＥ１、ＳＭＴＥ２、およびＳＭＴＥ３は、ショートメッセージサービスを受けるべくＰＳＴＮ４００に接続されたＳＭＴＥ群の一部であり、ＳＭＴＥ１，２，３は、ＰＳＴＮ４００での発信者ＩＤ（電話番号）として、１２３　４５６　７８９、２３４　５６７　８９０、３４５　６７８　９０１をそれぞれ有している。また、ＳＭＴＥ１，２，３は、異なるユーザが使用する。なお、ＳＭＴＥ１，３は本発明の実施形態である通信端末機であり、ＳＭＴＥ２は従来の通信端末機である。ＳＭＴＥ１からＳＭＴＥ２およびＳＭＴＥ３にそれぞれショートメッセージを送信する場合について説明する。
【００３９】
図１における破線の矢印は、ＳＭＴＥ１からＳＭＴＥ２にショートメッセージＡを送信するときの、ショートメッセージＡの通信経路を示している。ＳＭＴＥ１は、ＳＭＳＣ装置１００，２００，３００のいずれのＳＭＳＣ装置に対してもショートメッセージを送信することが可能で、ユーザが送信先のＳＭＳＣ装置を選択することができるように構成されている。ＳＭＴＥ２は、従来の通信端末機であるため、一つのＳＭＳＣ装置１００としか通信することができない。したがって、ＳＭＴＥ１のユーザは、送信先としてＳＭＳＣ装置１００を選択してＳＭＴＥ１からＳＭＴＥ２宛のショートメッセージＡを送信する。ＳＭＳＣ装置１００は、ＳＭＴＥ１から受信したショートメッセージＡを一旦記憶する。次にＳＭＳＣ装置１００は、送信先のＳＭＴＥ２を呼び出し、回線確立後にショートメッセージＡを送信する。これにより、ＳＭＴＥ１からＳＭＴＥ２にショートメッセージＡを送信することができる。
【００４０】
図１における一点鎖線の矢印は、ＳＭＴＥ１からＳＭＴＥ３にショートメッセージＢを送信するときの、ショートメッセージＢの通信経路を示している。ＳＭＴＥ３は、ＳＭＳＣ装置１００，２００，３００のいずれのＳＭＳＣ装置からでもショートメッセージを受信することが可能である。したがって、ＳＭＴＥ１のユーザは、ＳＭＳＣ装置を選択せずにＳＭＴＥ１からＳＭＴＥ３宛のショートメッセージＢを送信する。このようにユーザがＳＭＳＣ装置を選択しない場合は、ＳＭＴＥ１は、予め定めるＳＭＳＣ装置、たとえばＳＭＳＣ装置３００に対してショートメッセージＢを送信する。ＳＭＳＣ装置３００は、ＳＭＴＥ１から受信したショートメッセージＢを一旦記憶する。次にＳＭＳＣ装置３００は、送信先のＳＭＴＥ３を呼び出し、回線確立後にショートメッセージＢを送信する。これにより、ＳＭＴＥ１からＳＭＴＥ３にショートメッセージＡを送信することができる。
【００４１】
次に、上記のようなショートメッセージの送受信が可能な通信端末機について詳細に説明する。
【００４２】
図２は、本発明の実施の一形態であるショートメッセージサービス対応通信端末機（ＳＭＴＥ）１の構成を示すブロック図である。ＳＭＴＥ１はファクシミリ装置であり、網制御装置１０、画像用モデム１１、データ用モデム１２、入力装置１３、メモリ装置１４、ＲＯＭ（リードオンリメモリ）１５、画像読取装置１６、印刷装置１７、表示装置１８および制御装置１９から構成される。網制御装置１０はＰＳＴＮ４００に接続し、ＰＳＴＮ４００が要求する電気的特性を有し、回線の状態監視、およびＰＳＴＮからの信号の受信と、ＰＳＴＮ４００への信号の送信を行う。画像用モデム１１は、送信しようとする画像のデジタル信号をＰＳＴＮ４００に適したアナログ信号に変調するとともに、網制御装置１０が受信した画像のアナログ信号（ファクシミリ信号）を復調する。データ用モデム１２は、ショートメッセージおよび発信者ＩＤ（ＣＩＤ）の認識をするために、網制御装置１０が受信したデータ信号を復調し、送信用の文字データを変調する。網制御装置１０およびデータ用モデムは、通信手段を構成する。画像読取装置１６は、ファクシミリ送信または複写するための原稿を読み取る装置であって、レンズとＣＣＤラインセンサの組合せによる縮小光学系読取方式、ロッドレンズアレーを用いた密着センサ方式などの読み取り方式が用いられる。印刷装置１７は、網制御装置１０が受信した画像データ、ショートメッセージデータ（文字データ）、および画像読取装置１６で読み取られた画像データを印刷する印刷手段であって、サーマル式、電子写真方式、インクジェット方式などの印刷方式が用いられる。
【００４３】
メモリ装置１４は、受信または読み取った画像や、ファクシミリデータの送受信に関連するＳＭＴＥ１のステータスを記憶したり、動作中の各種データを一時的に記憶するワーキングメモリ、バッファリングなどとして用いられる汎用メモリ部１４１と、ショートメッセージの送受信に関連するＳＭＴＥ１のステータスやショートメッセージサービスに特化したデータ、たとえば受信したショートメッセージデータを記憶するＳＭＳ関連テーブル・メモリ部１４２とで構成される記憶手段である。ＳＭＳ関連テーブル・メモリ部１４２に記憶されるデータについては、後述する。
【００４４】
入力装置１３は、ファクシミリ送信時や、電話発信時に電話番号を入力するためなどに使用するダイアルキーやその他の操作を行うための汎用操作部１３１と、ショートメッセージを送信するＳＭＳＣ装置の選択やその他のショートメッセージの送受信に関連する操作を行うためのＳＭＳ関連操作部１３２とで構成される。それぞれの操作部のキー構成例については後述する。
【００４５】
表示装置１８は、液晶ディスプレイなどで実現され、ファクシミリ送受信時、電話発着信時、ショートメッセージ送受信時などで、ＳＭＴＥ１の動作状態を表示したり、画像データやショートメッセージデータを表示する表示手段である。入力装置１３および表示装置１８は、入力手段、指示手段および指定手段を構成する。
【００４６】
制御装置１９は、ＳＭＴＥ１を動作させるための制御プログラムが格納されているＲＯＭ１５およびメモリ装置１４と相俟って、入力装置１３からの入力情報、ＰＳＴＮ４００からの受信情報などに基づいてＳＭＴＥ１全体の動作を決定し、全体に指令を与える。制御装置１９は、選択手段および制御手段を構成する。
【００４７】
図３は、入力装置１３のキー構成例を示す図である。汎用操作部１３１は、数字キー、ファクシミリ用操作キー、電話用操作キーなどから構成される。ＳＭＳ関連操作部１３２は、ＳＭＳモードキー１３２ａ、新しいメッセージキー１３２ｂ、返信キー１３２ｃ、表示キー１３２ｄ、印刷キー１３２ｅ、スタートキー１３２ｆから構成される。
【００４８】
ＳＭＳモードキー１３２ａは、ＳＭＴＥ１の動作モードをファクシミリモードからＳＭＳモードに切換えるときに入力するキーである。ユーザによって、ＳＭＳモードキー１３２ａが入力されると、制御装置１９は、その旨を表示装置１８に表示させたり、データ用モデム１２の初期化など動作準備を行う。
【００４９】
新しいメッセージキー１３２ｂは、ＳＭＳモード時に入力すると、新しいショートメッセージの送信を行うことができる。新しいメッセージキー１３２ｂ入力後に、送信先ＳＭＴＥの電話番号や、ショートメッセージデータの入力などを行う。
【００５０】
返信キー１３２ｃは、ＳＭＳモード時に入力すると、受信したショートメッセージを送信したＳＭＴＥに対して、作成したショートメッセージを返信することができる。たとえば、表示キー１３２ｄを入力して、受信したショートメッセージを表示装置１８に表示させた状態で、返信キー１３２ｃを入力し、入力装置を用いて送信したいショートメッセージを入力すると、表示したショートメッセージを送信したＳＭＴＥに対して、作成したショートメッセージを返信することができる。印刷キー１３２ｅは、ＳＭＳモード時に入力すると、受信したショートメッセージデータを印刷装置１７を用いて印刷することができる。たとえば、表示キー１３２ｄを入力して、受信したショートメッセージを表示装置１８に表示させた状態で、印刷キー１３２ｅを入力すると、表示したショートメッセージを印刷することができる。
【００５１】
スタートキー１３２ｆは、上述のショートメッセージの送信、表示、印刷を行うときに入力し、各操作を確定する。
【００５２】
図４は、ＳＭＳ関連テーブル・メモリ部１４２の記憶領域を示す図である。図に示すようにＳＭＳ関連テーブル・メモリ部１４２は、複数の記憶領域を有している。これらの記憶領域は、それぞれ個別領域であるＳＭＳＣ装置１００，２００，３００用記憶領域１０１，２０１，３０１および共用記憶領域であるＳＭＳＣ装置共用記憶領域４０１となっている。なお、さらに多くのＳＭＳＣ装置が登録されている場合でもその割付は同じである。
【００５３】
ＳＭＳＣ装置１００用の記憶領域１０１には、ＳＭＳＣ装置の名称、ＳＭＳＣ装置の発信者ＩＤ（電話番号）、優先送信フラグ、優先受信フラグ、適用プログラム、受信データがそれぞれ記憶される。ＳＭＳＣ装置の名称は、ユーザが送信先のＳＭＳＣ装置を登録する際に、識別できるように入力した名称が記憶される。図では“ＳＭＳＣ装置１００”が記憶されている。発信者ＩＤ（電話番号）は、発信者であるＳＭＳＣ装置を識別するための識別情報、すなわちＳＭＳＣ装置固有の番号であり、通常は、ＳＭＳＣ装置に付与されている電話番号が記憶される。図では、ＳＭＳＣ装置１００の電話番号“９８７　６５４　３２１”が記憶されている。通信プロトコル情報である適用プログラム（プロトコル・パラメータ）は、ＳＭＳＣ装置との相互通信に当って要求される通信プロトコルで通信を行うための通信プログラムおよび通信パラメータである。この適用プログラムの一部あるいは全部は、たとえば、ＳＭＳＣ装置からダウンロードすることで取得することができる。
【００５４】
ショートメッセージ送信時にユーザがキー操作によって、送信先のＳＭＳＣ装置を選択すると、制御装置１９は、ＳＭＳ関連テーブル・メモリ部１４２の選択されたＳＭＳＣ装置用の記憶領域を参照し、記憶されている電話番号にダイアル発信を行う。また、着信時には、全てのＳＭＳＣ装置用の記憶領域を参照し、記憶されている電話番号と、受信した信号に含まれる電話番号とが一致するか否かを判定する。一致した場合は、記憶されている通信プロトコルおよびパラメータを用いてショートメッセージの受信を行う。
【００５５】
優先送信フラグは、複数のＳＭＳＣ装置が登録設定されている場合に、ショートメッセージ送信時に優先して送信するＳＭＳＣ装置を示すフラグであり、優先するＳＭＳＣ装置には“１”が記憶され、その他の装置は“０”が記憶される。前述のように、ユーザが送信先のＳＭＳＣ装置を選択しない場合は、この優先送信フラグが“１”のＳＭＳＣ装置が自動的に選択され、ショートメッセージが送信される。優先受信フラグは、複数のＳＭＳＣ装置が登録設定されている場合に、ショートメッセージ受信時に、優先して受信を行うＳＭＳＣ装置を示すフラグであり、優先するＳＭＳＣ装置には“１”が記憶され、その他の装置は“０”が記憶される。
【００５６】
ショートメッセージ受信時には、受信したショートメッセージデータをＳＭＳＣ装置用記憶領域に記憶するが、各ＳＭＳＣ装置用記憶領域に割り当てられている受信データ格納領域の容量は有限であるため、受信データ格納領域の空容量が不足している場合は、ショートメッセージデータを記憶しておくことができない。この場合、制御装置１９が、受信データ格納領域の容量が不足していると判断したときは、ショートメッセージを受信しようとするＳＭＳＣ装置の優先受信フラグを参照し、優先受信フラグが“１”であれば、ショートメッセージを受信してＳＭＳＣ共用の記憶領域４０１の共用受信データ格納領域に、受信したショートメッセージデータを記憶する。優先受信フラグが“０”であれば、回線を確立せず、ショートメッセージを受信しない。
【００５７】
受信データは、ＳＭＳＣ装置から受信したショートメッセージデータであり、ショートメッセージの最大文字数に基づいて規定される。本実施形態では、たとえば１６０バイトであり、１６０バイトごとに区画されたブロックに記憶される。
【００５８】
なお、ＳＭＳＣ装置の名称、発信者ＩＤ（電話番号）、優先送信フラグ、及び優先受信フラグは、前述の入力装置１３を用いてユーザによって入力され、記憶される。
【００５９】
図５は、ＳＭＴＥ１のショートメッセージデータ送信処理を示すフローチャートである。まず、ステップＳ５００では、ＳＭＴＥ１は待機状態にある。ステップＳ５０１で、ＳＭＳモードキー１３２ａが押下されたどうかを制御装置１９が判断し、ＳＭＳモードキー１３２ａ以外のキーなどが操作されればステップＳ５０２に進み、ＳＭＳモードキー１３２ａが押下されれば、ステップＳ５０３に進む。
【００６０】
ステップＳ５０２では、ＳＭＴＥ１がファクシミリモードに移行し、ファクシミリ処理を行う。ステップＳ５０３では、ＳＴＭＥ１が、ＳＭＳモードに移行する。ステップＳ５０４では、新しいメッセージキー１３２ｂ、返信キー１３２ｃまたは印刷キー１３２ｅのいずれのキーが押されたかを制御装置１９が判断する。新しいメッセージキー１３２ｂが押された場合は、ステップＳ５０５ａに進み、返信キー１３２ｃが押された場合は、ステップＳ５０５ｂに進み、印刷キー１３２ｅが押された場合は、ステップＳ５０７ｄに進む。ステップＳ５０５ａ，Ｓ５０５ｂでは、ユーザが入力装置１３を操作することによって、ショートメッセージデータが入力される。なお、ショートメッセージの返信を行う場合は、前述のようにショートメッセージを表示させておいて、返信キー１３２ｃを押せばよい。
【００６１】
ステップＳ５０６では、送信先のＳＭＳＣ装置が選択されたかどうかを制御装置１９が判断する。ＳＭＳＣ装置の選択は、ＳＭＳ関連テーブル・メモリ部１４２に記憶されている各ＳＭＳＣ装置の名称を表示装置１８に表示させ、ユーザが入力装置１３を用いてＳＭＳＣ装置の名称を選択するようにすればよい。これにより、複数のＳＭＳＣ装置の中から所望のＳＭＳＣ装置を選択してショートメッセージを送信することができる。送信先のＳＭＳＣ装置が選択されれば、ステップＳ５０７ａに進み、送信先のＳＭＳＣ装置が選択されなければ、ステップＳ５０７ｂに進む。ここでは、ＳＭＳＣ装置１００が選択されたとする。
【００６２】
ステップＳ５０７ａ，Ｓ５０７ｂ，Ｓ５０７ｃ，Ｓ５０７ｄでは、スタートキー１３２ｆが押されたかどうかを制御装置１９が判断する。スタートキー１３２ｆが押されれば、それぞれステップＳ５０８ａ，Ｓ５０８ｂ，Ｓ５０８ｃ，Ｓ５０８ｄに進み、スタートキー１３２ｆが押されなければ待機する。
【００６３】
ステップＳ５０８ａでは、選択されたＳＭＳＣ装置１００のＳＭＳＣ装置用記憶領域１０１を参照し、記憶されている電話番号“９８７　６５４　３２１”にダイアル発信を行い、回線が確立した後、ショートメッセージデータを送信する。ここまでの処理は、図１で示したショートメッセージＡの送信時の処理である。
【００６４】
ステップＳ５０８ｂでは、ＳＭＳＣ装置が選択されていないので、全てのＳＭＳＣ装置用記憶領域の優先送信フラグを参照し、優先送信フラグが“１”に設定されているＳＭＳＣ装置３００の電話番号にダイアル発信を行い、回線が確立した後、ショートメッセージデータを送信する。ここまでの処理は、図１で示したショートメッセージＢの送信時の処理である。
【００６５】
ステップＳ５０８ｃでは、受信したショートメッセージを送信したＳＭＳＣ装置の電話番号にダイアル発信を行い、回線が確立した後、ショートメッセージデータを送信する。なお、受信したショートメッセージを送信したＳＭＳＣ装置の電話番号は、選択されたショートメッセージデータが記憶されているＳＭＳＣ装置用記憶領域に記憶された電話番号である。
【００６６】
ステップＳ５０８ｄでは、受信したショートメッセージデータの文字コードをＳＭＴＥに内蔵する印刷装置１７に適合した文字フォントに展開して印字が行われる。
【００６７】
図６は、ＳＭＴＥ１のショートメッセージデータ送信処理を示すフローチャートである。まず、ステップＳ６００では、ＳＭＴＥ１は待機状態にある。ステップＳ６０１では、ＰＳＴＮ４００の交換局からの着呼信号（リンガ）が到来すると、網制御装置１０はその着呼信号を検知する。ステップＳ６０２では、受信した着信信号が登録されているＳＭＳＣ装置からの着呼信号かどうかを判定するために、受信した着呼信号に含まれる電話番号と、全てのＳＭＳＣ装置用記憶領域に記憶された電話番号とを比較する。ステップＳ６０３では、受信した着呼信号に含まれる電話番号に一致する電話番号があるかどうかを判断し、一致する電話番号があればステップＳ６０４に進み、一致する電話番号が無ければステップＳ６１０に進む。ステップＳ６１０では、ショートメッセージ受信処理以外の処理を行う。
【００６８】
ステップＳ６０４では、一致した電話番号に対応するＳＭＳＣ装置のＳＭＳＣ装置用記憶領域を参照し、受信データ格納領域の空容量が所定量以上であるかどうかを判断する。所定量以上であれば、ステップＳ６０７ｂに進み、所定量より小さければ、ステップＳ６０５に進む。ステップＳ６０５では、一致した電話番号に対応するＳＭＳＣ装置の優先受信フラグが“１”に設定されているかどうかを判断する。優先受信フラグが“１”に設定されていれば、ステップＳ６０６に進み、優先受信フラグが“０”に設定されていれば、ステップＳ６１１に進む。ステップＳ６０６では、ＳＭＳＣ装置共用記憶領域を参照し、共用受信データ格納領域の空容量が所定量以上であるかどうかを判断する。所定量以上であれば、ステップＳ６０７ａに進み、所定量より小さければ、ステップＳ６１１に進む。
【００６９】
ステップＳ６０７ａおよびＳ６０７ｂでは回線を捕捉してＳＭＳＣ装置との通信回線を確立する。ステップＳ６０８ａおよびＳ６０８ｂでは、ショートメッセージデータを受信する。ステップＳ６０９ａでは、受信したショートメッセージデータを共用受信データ格納領域に記憶する。ステップＳ６０９ｂでは、受信したショートメッセージデータを受信データ格納領域に記憶する。
【００７０】
ステップＳ６１１では、回線を捕捉せずに無応答状態を継続する。これによって交換局はタイムアウトの判定を行い、ショートメッセージを送信したＳＭＳＣ装置にＮｅｇａｔｉｖｅ　Ｄｅｌｉｖｅｒ　Ｒｅｐｏｒｔ（不達通告）を行い、回線を開放する。
【００７１】
なお、ショートメッセージデータの送受信以外の他の処理、たとえば印刷装置１７による印刷処理や、送信しようとするショートメッセージデータの入力処理など、通信を行わない処理を行っているときに、ＳＭＳＣ装置からの着呼信号を受信すると、制御装置１９は、他の処理を中断するとともに、ショートメッセージデータの受信を行う。ショートメッセージデータの受信が完了すると、中断していた他の処理を再開する。これによって、他の処理を行っているときでも、ショートメッセージデータの受信を行うことができ、ＳＭＳＣ装置にコールバックする必要がない。
【００７２】
【発明の効果】
以上のように本発明によれば、複数のセンタ装置を介して他の通信端末機とショートメッセージデータの送受信を行うことができる。各センタ装置は、異なるショートメッセージサービス提供業者が設置しているので、複数のセンタ装置を使用することで、たとえば、ユーザはショートメッセージデータの送信先の通信端末機や利用する時間帯、課金条件などに応じたショートメッセージサービスを利用することができ、利便性を向上させることができる。
【００７３】
また本発明によれば、通信時にセンタ装置の識別情報である電話番号や通信パラメータなどの通信プロトコル情報を入力する必要がなく、容易に複数のセンタ装置を介して他の通信端末機とショートメッセージデータの送受信を行うことができる。
【００７４】
また本発明によれば、ユーザは通信を行うセンタ装置を指示することができ、利用したいショートメッセージサービスを選択することができる。
【００７５】
また本発明によれば、複数のセンタ装置のうち、いずれのセンタ装置から送信されたショートメッセージデータでも容易に受信することができる。
【００７６】
また本発明によれば、ショートメッセージデータ受信時に、個別記憶領域の空き容量が足りない場合、少なくとも優先的に受信するように設定したセンタ装置、たとえばユーザが仕事の連絡用に使用しているショートメッセージサービス業者のセンタ装置などから送信されるショートメッセージデータは記憶することができる。
【００７７】
また本発明によれば、すでに受信したショートメッセージデータに対する返信を行う場合に、ユーザは返信したいショートメッセージデータを指定すればよいので、ユーザはセンタ装置を指示する必要がなく、容易に返信を行うことができる。
【００７８】
また本発明によれば、通信端末機が他の処理を行っているときでも、ショートメッセージデータの受信を行うことができ、センタ装置にコールバックする必要がない。
【００７９】
また本発明によれば、ユーザは受信したショートメッセージデータを、表示装置を見て確認することができる。また、ユーザは受信したショートメッセージデータを、印字して確認したり、保管しておくことができる。
【図面の簡単な説明】
【図１】ショートメッセージサービスの送受信システムの概略図である。
【図２】本発明の実施の一形態であるショートメッセージサービス対応通信端末機（ＳＭＴＥ）１の構成を示すブロック図である。
【図３】入力装置１３のキー構成例を示す図である。
【図４】ＳＭＳ関連テーブル・メモリ部１４２の記憶領域を示す図である。
【図５】ＳＭＴＥ１のショートメッセージデータ送信処理を示すフローチャートである。
【図６】ＳＭＴＥ１のショートメッセージデータ送信処理を示すフローチャートである。
【符号の説明】
１，２，３　ショートメッセージサービス対応通信端末機（ＳＭＴＥ）
１０　網制御装置
１１　画像用モデム
１２　データ用モデム
１３　入力装置
１４　メモリ装置
１５　ＲＯＭ
１６　画像読取装置
１７　印刷装置
１８　表示装置
１９　制御装置
１００，２００，３００　ＳＭＳＣ装置
１０１，２０１，３０１　ＳＭＳＣ装置用記憶領域
１３１　汎用操作部
１３２　ＳＭＳ関連操作部
１３２ａ　ＳＭＳモードキー
１３２ｂ　新しいメッセージキー
１３２ｃ　返信キー
１３２ｄ　表示キー
１３２ｅ　印刷キー
１３２ｆ　スタートキー
１４１　汎用メモリ部
１４２　ＳＭＳ関連テーブル・メモリ部
４００　ＰＳＴＮ（公衆交換電話網）
４０１　共用記憶領域
【図１】
2004096484.tif 000003
【図２】
2004096484.tif 000004
【図３】
2004096484.tif 000005
【図４】
2004096484.tif 000006
【図５】
2004096484.tif 000007
【図６】
2004096484.tif 000008